(57)【要約】【課題】  日本古来からの文化とも謂うべき箸を、脳虚血性疾患、リウマチや小関節疾患、交通事故などによって、手指の不自由になった人にも使用できるようにした手指の不自由者用箸を開発する。【解決手段】  一対の箸棒の内側を夫々直線状にし、外側を上部から下部に向かって細く形成し、該箸棒の頂部を湾曲形状に連結して湾曲部とし、該湾曲部の内側または外側を抉り抜いて薄形湾曲板部とし、その内側に空間部を設けてなる手指の不自由者用箸を提供する。【選択図】        図１
0003110363.tif 000002
【実用新案登録請求の範囲】
【請求項１】
一対の箸棒の内側の形状がそれぞれ直線に構成され、該箸棒の外側の形状はそれぞれ上部から下部に向かって細くなるように傾斜させて構成し、上記一対の箸棒の頂部同士を湾曲状に一体連結させて湾曲部となし、該湾曲部の内側または外側を抉り抜きして、薄形湾曲板部に形成し、該薄形湾曲板部の内側に略半円形状の空間部を設けてなることを特徴とする手指の不自由者用箸。
【請求項２】
一対の箸棒の夫々の上部の内側以外の任意の面を膨らませて膨張部を設けてなることを特徴とする請求項１に記載の手指の不自由者用箸。
【考案の詳細な説明】
【技術分野】
【０００１】
本考案は、脳虚血疾患（脳卒中）、手指の小関節疾患或いは交通事故などにより手指が不自由となった人でも、その不自由な手にても箸を使用して食事できるにしたことを特徴とする手指の不自由者用箸に関するものである。
【０００２】
さらに詳しくは、通常の２本の箸棒の頂部が連結されて箸が構成されていて、該箸棒の頂部の弾力性を利用して上記手指の不自由者でも簡易に食物を把んで食事できるようにした手指の不自由者用箸に関するものである。
【背景技術】
【０００３】
高齢化社会の進展やライフスタイルの変化に伴い、近年脳虚血疾患、所謂脳卒中や、リウマチなどの病気にて、手指が不自由となり、その不自由な手指にては箸を使用して食事ができない人が非常に増加してきている現状である。
【０００４】
したがって、子供のころより箸を使用して食事をする習慣のある高齢者が、手指が不自由のため箸で食事ができないことは大きな悲しみである。
しかるに、従来手指の不自由者用の箸としては、この世に全く存在していなかった。そこで、箸を箸保持具に着脱可能に固着して、手指の不自由な人でもこの箸保持具を利用して箸を使用して食事できるようにした手指の不自由者用箸保持具が出現するようになってきた。
【０００５】
このような、手指の不自由者用箸保持具としては、例えば特開２００１-１７２９８（特許文献１），特開平１１-２２６０４０（特許文献２），特開２００３-２６５２７（特許文献３）などがある。即ち、特開２００１-１７２９８の手障害者用箸保持具は、箸を着脱自在に保持可能な左右の箸保持部４Ａ、４Ｂを、その後部に連結したＶ字状の弾性板７によって回動可能に設けた形状の保持具本体１と、一方の箸保持部４Ａ又は４Ｂに着脱自在に取付可能な握り筒体２と、他方の箸保持部４Ｂまたは４Ａに着脱自在に取付可能な指押し部材３とを備えた箸保持具であって、前記保持具本体１に、回動基板５Ａ、５Ｂによって形成された回動案内部５を付設し、その回動案内部５によって箸保持部４  Ａおよび４Ｂの回動を制御するようにするとともに、摺動リング１１に握り筒体２を取付け、且つ摺動リング１２に指押し部材３を取付けて、その摺動リング１１および１２を摺動または固定させることにより、握り筒体２と指押し部材３のそれぞれを、箸保持部に位置変更可能に取付けた構成としたものである。
【０００６】
次に、特開平１１-２２６０４０の手障害者用生活補助具は、障害を有する手に装着可能な補助具保本体と、該補助具本体に着脱自在に取付可能な物品保持具とにより設けられた手障害者のための生活補助具であって、前記補助具本体は、手首に固定するための固定手段を設け、且つ手の動作機能が残存している部位を突出させるための挿通穴を設けた装着部材と、該装着部材の前部に突設された連結受具とにより構成し、また前記物品保持具は、補助具本体の連結受具に取付可能な連結材と、生活用品を保持するための保持部と、保持した生活用品を回動または上下動するための移動機構とにより構成したことを特徴とする手障害者用生活補助具である。
【０００７】
さらに、特開２００３-２６５２７の手障害者用食事補助具は、左右を合せると先端部がスプーンを形成する一対のスプーン構成体と、前記スプーン構成体の柄部を保持する一対の保持部と、前記一対の保持部の基端部を連結する連結片と、前記一対の保持部が手掌から脱落するのを防止する保持紐より構成されていることを特徴とする手障害者用食事補助具である。
【０００８】
たとえ、手指の不自由者と雖も日本古来の文化とも言える箸を使用して食事するということは、日本人にとっては本能であり、生活でもある。
しかるに、前記特開２００１-１７２９８０、特開平１１-２２６０４０の手障害者用箸保持具（補助具）は、それぞれ必ず箸を箸保持具中へ挿着して使用しなければならないものであった。
したがって、箸を直接使用して御飯を食べているという感覚に乏しく、食べ心地は良くない。
【０００９】
また、箸保持具の構造が複雑で、果たして手指の不自由者が箸を箸保持具へ容易に着脱が行えるかどうか、甚だ疑問である。恐らく介護者の補助が必要とされる。又、箸保持具を直接手にて持って食事をするため、手触り、感触が極めて悪い。
【００１０】
次に、特開２００３-２６５２９７の手障害者用食事補助具は、一対のスプーン構成体または一対のフォーク構成体の保持部の基端部を連結片にて連結し、一対の保持部が手掌から保持紐により脱落を防止した構成からなるゆえ、全く箸を使用するという感覚はない。
ただ、単にサラダ、肉魚類をスプーンまたはフォーク構成体で挟み持つという手障害者用食事補助具に過ぎない。
したがって、箸を持って御飯を食べるという感覚、感触は皆無にして、箸としての機能を具備せず不適切なものである。
【特許文献１】特開２００１-１７２９８
【特許文献２】特開平１１-２２６０４０
【特許文献３】特開２００３-２６５２７
【考案の開示】
【課題を解決するための手段】
【００１１】
本考案は上記課題を解決するためになされたものであって、以下に記載する解決手段を提供するものである。
《解決手段１》
一対の箸棒の内側の形状がそれぞれ直線に構成され、該箸棒の外側の形状はそれぞれ上部から下部に向かって細くなるように傾斜させて構成し、上記一対の箸棒の頂部同士を湾曲状に一体連結させて湾曲部となし、該湾曲部の内側または外側を抉り抜きして、薄形湾曲板部に形成し、該薄形湾曲板部の内側に略半円形状の空間部を設けてなることを特徴とする手指の不自由者用箸である。
《解決手段２》
一対の箸棒の夫々の上部の内側以外の面を膨らませて膨張部を設けてなることを特徴とする解決手段１に記載の手指の不自由者用箸  である。
【考案の効果】
【００１２】
本考案の解決手段１〜２に記載の考案に於いては、手指の不自由者が箸を使用するという感覚、手触りを失うことなく食事ができるので、手指の不自由者にとって本考案の手指の不自由者用箸は、一大福音である。
【００１３】
本考案の解決手段１の考案に於いては、一対の箸棒の頂部を連結して設けた湾曲部の内側または外側を抉り抜いて薄形湾曲板部を形成して、その内側に空間部を設けたので、該薄形湾曲板部が板ばねとしての作用を有し、箸棒１、１（図３参照）の先端部にて食物Ｆを確実に挟持できる。
また、挟んだ食物Ｆを皿（図示せず）の上へ載せる際には、不自由な手指でも手を軽く緩めるだけで、ばねの反発力によって速やかに皿へ載せることができる。
【００１４】
本考案の解決手段１の考案の箸棒は殆ど通常の箸の原形を保持しながら薄形湾曲板部とその空間部によるばね作用を利用して、箸として使用できるので、手指の不自由な人でも日常生活上すこぶる利便なものである。
【００１５】
本考案の解決手段２の考案に於いては、一対の箸棒の夫々の上部の内側以外の任意の面に膨張部を設けたので、手指の不自由者でも非常に使用し易い。
なお、かつ、膨張部にローレットを設れば、使用中手がすべるということがさらに大幅に軽減される。
【考案を実施するための最良の形態】
【００１６】
以下に本考案を実施するための最良の形態を、別紙図面を参照しながら詳細に説明する。
【実施例１】
【００１７】
《実施例１の構成》
図１ａは実施例１の手指の不自由者用箸Ａの斜視図である。１、１は竹、木またはプラスチックの素材でなる一対の箸棒で、内側１ａ，１ａがそれぞれ直線状に形成される。また、箸棒１、１の外側１ｂ、１ｂは上部から下部に向かって細くなるようにそれぞれ形成されている。なお、図１ａにては、左側を上部、右側を下部とする（以下の実施例についても同様に、図面の左側を上部、右側を下部とする。）
そして、該箸棒１、１の頂部（上部失端）間を湾曲状に一体に連結させて湾曲部Ｗ１を形成し、その内側を抉り抜きした薄形湾曲板部３に構成して、該薄形湾曲板部３内に空間部２を設けてなる手指の不自由者用箸である。
【実施例２】
【００１８】
《実施例２の構成》
図１ｂに示す手指の不自由者用箸Ｂは図１ａの不自由者箸Ａとは反対に箸棒１、１同士の頂部を連結した湾曲部Ｗ２の外側を抉り抜きして薄形湾曲板部３を形成し、該薄形湾曲板部３の内側に略半円形状の空間部２を設けてなる手指の不自由者用箸である。
【実施例３】
【００１９】
《実施例３の構成》
図２ａは実施例１、所謂図１ａに記載の手指の不自由者用箸Ａに於いて、一対の箸棒１、１の外側１ｂ、１ｂ上部を膨らませて膨張部４、４を設けた手指の不自由者用箸Ｃの斜視図である。なお、図中２は空間部、３は薄形湾曲板部である。
また、膨張部４、４は、図２ａの正面側の面ｐ、ｐに設けられても良いし、背面側の面ｑ、ｑに設けても良い。面ｐ、ｐと面ｑ、ｑに同時に設けても良いし、さらに外側１ｂ、１ｂ、面ｐ、ｐ、面ｑ、ｑの全てに設けることも当然可能である。
【実施例４】
【００２０】
《実施例４の構成》
図２ｂは実施例２、所謂図１ｂに記載の手指の不自由者用箸Ｂに於いて、一対の箸棒１、１の外側１ｂ、１ｂ上部を膨らませ膨張部４、４を設けた手指の不自由者用箸Ｄの斜視図である。なお、図中２は空間部、３は薄形湾曲板部である。また、１ａ、１ａは直線状の内側である。
また、膨張部４、４は、図２ｂの正面側の面ｐ、ｐに設けられても良いし、背面側の面ｑ、ｑに設けても良い。面ｐ、ｐと面ｑ、ｑに同時に設けても良いし、さらに外側１ｂ、１ｂ、面ｐ、ｐ、面ｑ、ｑの全てに設けることも当然可能である。
【００２１】
《実施例４の作用》
図３に実施例４の作用を示す。実施例４の手指の不自由者用箸Ｄは図３に示すように、箸棒１、１に形成された膨張部４、４を手指で保持し、膨張部４、４に矢印のＸ、Ｘの方向に力を加える。すると、箸棒１、１の先端１ｃ、１ｃが矢印Ｙ、Ｙ方向に移動し、食物Ｆを挟持することができる。
なお、図３に示す持ち方は一例であって、必ずしもこの持ち方でなくても、例えば棒を握るように持っても良い。要するに、矢印Ｘ、Ｘ方向に力を加えることのできる持ち方であれば持ち方は問わない。
【００２２】
この際、図４ａ、４ｂに示すように、薄形湾曲板部３が板ばねとして働く。薄形湾曲板部３は、矢印Ｘ、Ｘ方向の力により、２点鎖線で示した状態に変形し、箸棒１、１を外側（矢印Ｘ、Ｘと逆方向）に付勢する。したがって、矢印Ｘ、Ｘ方向の力を解除することにより、箸棒１、１は元の状態、即ち実線で示す状態に回復される。
【００２３】
このように、矢印Ｘ、Ｘ方向に力を加えることによって食物Ｆ（図３参照）を挟持し、さらに矢印Ｘ、Ｘ方向の力を解除することによって食物Ｆを解放する。これにより、手指の不自由者に於いても、健常者と同様の感覚にて、箸棒１、１を簡単に操作できるものである。
【００２４】
即ち、通常の箸（図示せず）にては２本の箸棒が分離されているので、複雑な手指の操作を必要とするが、実施例４に於いては、矢印Ｘ、Ｘ方向の力を加えたり緩めたりするだけの操作で、通常の箸と同様の食物Ｆの挟持、解放が実現できるものである。
なお、実施例１〜３の作用も、実施例４と略同様である。但し、膨張部４、４を設けた実施例３、４は、膨張部４、４が掌により密接して収納されるので、より握力の弱い手指の不自由者に於いても楽に操作できるものである。
【産業上の利用可能性】
【００２５】
本考案は、脳虚血性疾患、リウマチや小関節疾患、交通事故などによる手指の不自由者用箸として高い優れた品質性と利便性を有するので、病院、施設、一般家庭に於いて、広く普及する可能性を有するものである。
【図面の簡単な説明】
【００２６】
【図１】（ａ）本考案の手指の不自由者用箸の実施例１を示す斜視図である。（ｂ）本考案の手指の不自由者用箸の実施例２を示す斜視図である。
【図２】本考案（ａ）本考案の手指の不自由者用箸の実施例３を示す斜視図である。（ｂ）本考案の手指の不自由者用箸の実施例４を示す斜視図である。
【図３】本考案の手指の不自由者用箸の実施例４の使用状態を示す斜視図である。
【図４】（ａ）本考案の手指の不自由者用箸の実施例４の作用を説明する説明図である。（ｂ）図４ａの要部拡大図である。
【符号の説明】
【００２７】
１      箸棒
１ａ    内側
１ｂ    外側
１ｃ    先端
２      空間部
３      薄形湾曲板部
４      膨張部
Ａ      手指の不自由者用箸
Ｂ      手指の不自由者用箸
Ｃ      手指の不自由者用箸
Ｄ      手指の不自由者用箸
Ｆ      食物
Ｗ１    湾曲部
Ｗ２    湾曲部
Ｘ      矢印
Ｙ      矢印
ｐ      面
ｑ      面
【図１】
0003110363.tif 000003
【図２】
0003110363.tif 000004
【図３】
0003110363.tif 000005
【図４】
0003110363.tif 000006
【手続補正書】
【提出日】平成17年1月21日(2005.1.21)
【手続補正１】
【補正対象書類名】明細書
【補正対象項目名】００１７
【補正方法】変更
【補正の内容】
【００１７】
《実施例１の構成》
図１ａは実施例１の手指の不自由者用箸Ａの斜視図である。１、１は竹、木またはプラスチックの素材でなる一対の箸棒で、内側１ａ，１ａがそれぞれ直線状に形成される。また、箸棒１、１の外側１ｂ、１ｂは上部から下部に向かって細くなるようにそれぞれ形成されている。なお、図１ａにては、左側を上部、右側を下部とする（以下の実施例についても同様に、図面の左側を上部、右側を下部とする。）
そして、該箸棒１、１の頂部（上部先端）間を湾曲状に一体に連結させて湾曲部Ｗ１を形成し、その内側を抉り抜きした薄形湾曲板部３に構成して、該薄形湾曲板部３内に空間部２を設けてなる手指の不自由者用箸である。